(57)【特許請求の範囲】
【請求項１】
針金平とじ製本機において、
本の側部を貫いて本をとじるための少なくとも１つの針金平とじ機と、
本の背に表紙を提供するための表紙ステーションと、
クランピング装置とが設けられており、該クランピング装置が、本を少なくとも１つの針金平とじ機に締付け、かつ本を少なくとも１つの針金平とじ機から表紙ステーションへ搬送するためのクランプを有していることを特徴とする、針金平とじ製本機。
【請求項２】
前記クランピング装置が、無端ループを有しており、前記クランプが、少なくとも１つのとじ機と前記クランピング装置との間を無端ループ上で走行する、請求項１記載の針金平とじ製本機。
【請求項３】
前記少なくとも１つの針金平とじ機が、２つのとじ機を含んでいる、請求項１記載の針金平とじ製本機。
【請求項４】
前記少なくとも１つの針金平とじ機の下流に背準備装置が設けられている、請求項１記載の針金平とじ製本機。
【請求項５】
前記表紙ステーションが、表紙供給装置と、塗布ドラムと、表紙ブレーカとを有している、請求項１記載の針金平とじ製本機。
【請求項６】
前記少なくとも１つの針金平とじ機の上流に本の背をクランプに対して平らにするための第１の水平シェルフが設けられている、請求項１記載の針金平とじ製本機。
【請求項７】
前記少なくとも１つの針金平とじ機の下流に第２の水平シェルフが設けられている、請求項１記載の針金平とじ製本機。
【請求項８】
本を製本するための方法において、
とじられていない本を第１のクランプで掴み、
本を第１のクランプに掴みながら平とじし、
第１のクランプを使用して本を表紙ステーションへ搬送し、
第２の本を第２のクランプで掴むことを特徴とする、本を製本するための方法。
【請求項９】
前記第１のクランプを作動させるためにカムを使用する、請求項８記載の方法。
【請求項１０】
本の背を水平シェルフ上で平らにする、請求項８記載の方法。
【請求項１１】
本の背を第１のクランプを使用して背準備ステーションを通過させる、請求項８記載の方法。
【請求項１２】
第２の本を掴むために第１のクランプをループに沿って戻す、請求項８記載の方法。
【発明の詳細な説明】
【０００１】
【発明の属する技術分野】
本発明は、概して製本、特に、針金平とじ機を使用して、丁合された製品を製本するための装置及び方法に関する。
【０００２】
【従来の技術】
本（ここでは全てのシート及び刷本の集合体を含むと定義される）を製造するために、シート又は刷本は、通常、丁合されるか又は集められ、本のシートが所望の順序で配置される。次いで、本は製本される。
【０００３】
従来の製本方法は、中とじ及び無線とじを含んでいる。中とじの場合、本のシートは、通常、シートがサドル状に下方へ垂下しながらシートの折目がとじ装置に提供されるように、搬送される。ズーゲル他に発行された米国特許第３３１７０２６号明細書は、例えば、２つの中とじ機を備えた中とじ装置を開示している。
【０００４】
中とじ装置は、本の背が平坦でないという欠点を有する。高品質の製本又はより大きな本のために、このタイプの製本は望ましくないおそれがある。
【０００５】
無線とじ機は、本のシート又は刷本を整合させることによって、糊付け又は接着のために、本を準備し、これにより、本のシート又は刷本は、本の背に沿って現れる。米国特許第４６９７９７１号明細書及び米国特許第５７８８４４６号明細書は例えば無線とじ機を開示している。本の表紙は、通常、別個の表紙ステーションにおいて糊で製本される。
【０００６】
無線とじ機は、糊付けされた背が、繰返し使用することにより劣化するという欠点を有する。
【０００７】
無線とじ機を改良しかつ、無線とじの他の利点に加えてより長持ちするとじを提供するために、独立したとじ機を使用して、刷本又はシートを針金平とじすることが知られている。例えばナショナルジオグラフィックは、従来針金平とじされている。針金平とじの場合、本は通常、無線とじ機の場合のように整合されかつ締め付けられ、次いで平とじされる。しかしながら、これらのとじユニットは、表紙取付け機の前に特別な結合領域を必要とし、ひいては本はとじ機から別個の表紙取付け機へ搬送されなければならず、このことは、故障を惹起するおそれがある。しかもとじ機は大きな床面積を占有し、運転が低速である。その結果、本はしばしば２つの流れに分割され、スペースの要求を増大させる。
【０００８】
さらに、通常針金平とじは丁合い経路において行われ、ルーズな丁合された本は、とじ提供のためにセットを一緒に保持するためにクランプに配置され、次いでクランプから完全に解放される。
【０００９】
【発明が解決しようとする課題】
本発明の目的は、改良された針金平とじのための方法及び装置を提供することである。
【００１０】
【課題を解決するための手段】
本発明は、本の側部を貫通して本をとじるための少なくとも１つの針金平とじ機と、本の背に表紙を被せるための表紙ステーションと、クランピング装置とが設けられており、このクランピング装置が、少なくとも１つの針金平とじ機において本を締付けかつ本を少なくとも１つの針金平とじ機から表紙ステーションへ引き渡すためのクランプを有している、針金平とじ製本装置を提供する。
【００１１】
針金平とじ機と表紙ステーションとを１つのクランプを用いて直接に結合することによって、本は、より大きなクランプ締付力及びよりよい整合でクランプにしっかりと保持される。さらに、針金平とじ機と表紙ステーションとの間の本の引渡しを排除することができる。
【００１２】
製本装置はさらに第１の水平シェルフを有していてよく、この第１の水平シェルフに沿って背が整合させられ、次いで背がクランプによってしっかりと掴まれる。本の区分はクランプ下方に露出したままであり、これにより、平とじが、露出した区分に提供されてよい。
【００１３】
少なくとも１つの針金平とじ機は２つのとじ機を含んでいると有利であり、これにより、本が１つおきに一方のとじ機によってとじられることができ、ひいては、製本装置のスループットを改善する。
【００１４】
製本装置はさらに、表紙の提供を改善することを目的として背を粗くするために、とじ装置の下流に背準備装置を含んでいてよい。
【００１５】
表紙ステーションは、表紙供給装置と、提供ドラムと、表紙ブレーカとを含んでいると有利である。
【００１６】
製本装置は、クランプ内の本の露出量を減じるために、とじ機の下流に第２の水平シェルフをも有していてよい。例えば、第１の水平シェルフは、本の０．５〜１インチ（１２．７〜２５．４ｍｍ）が締付け面の下方に露出されるようにクランプに対して配置されていてよい。とじの後に、第２の水平シェルフが、本の０．２５〜０．５インチ（６．３５〜１２．７ｍｍ）が露出されたままであるように、クランプに対して配置されていてよい。このより少ない露出は、背のより近くでよりしっかりとした掴みを提供することによって、背の準備及び表紙の提供を助けることができる。
【００１７】
本発明は、第１のクランプで本を掴み、第１のクランプに掴まれながら本を平とじし、第１のクランプを使用して本を表紙ステーションへ搬送し、クランプに、平とじ支持機能と表紙ステーションへの搬送機能とを行わせることによって、製本の品質を改良することができるような、本を製本するための方法をも提供する。
【００１８】
【発明の実施の形態】
図１は、製本装置１の概略的な上面図を示している。供給部２は、進入する丁合された本を背を下にしてコンベヤ３に提供することができる。複数のクランプが無端ループ１０を走行している。ループ１０の区分１２において、クランプは開放位置にあり、クランプの一方の側部が鉛直位置にあり、他方の側部が持ち上げられている。引渡し領域４において、本３０は、図２に示したように、ストッパ２５の前方でクランプ２０の第１の側２２に対してコンベヤ３から引き渡される。ストッパ２５は鉛直なバーとして示されているが、平坦な側部を備えた位置決めピンであってもよく、この場合、ピンは逆Ｄ字形である。第１の側部２２は鉛直位置のままであり、ループ又は軌道１０上を走行するキャリッジ２６及び支持体２８に対してほぼ定置である。択一的に、第１の側部２２の裏側に直接に軌道が設けられることができる。第２の側部２４は、旋回軸２７中心にして第１の側部２２に対して旋回可能であり、第１の側部２２に向かって閉鎖するようにばね負荷されていてよい。第２の側部２４に取り付けられたカム２９は、図２に示したように、カム従動子に従動し、第２の側部を開放させる。
【００１９】
本が２０が第１の側部２２に接触すると、カム２９はカム従動子から解放されることができ、これにより、第２の側部２４がばね作用によって閉鎖位置へ強制される（閉鎖位置はばね作用によって維持される）。したがって、本３０は鉛直位置を占め、図１に示したように第１の水平シェルフステーション５に進入してよい。有利には、第２の側部２４は中央に亘ってロックすることができ、これにより、開放及び閉鎖位置をカム接触なしに維持することができるが、カムは２つの位置の間で側部２４を移動させることができる。
【００２０】
図３（明瞭にするためにカム２９を示していない）に示したように、水平シェルフ区分５において、本３０の背３２は水平シェルフ４０に沿って走行する。第２の側部２４は、例えばカム作用によって第１の側部２２から僅かに解放され、これにより、本３０は水平シェルフ４０と後部のストッパ２５とに対して位置決めされる。後部のストッパ２５は本３０の厚さよりも厚い。本３０の適切な位置決めはこのように行われてよく、クランプの側部２２及び２４の縁部と、水平シェルフ４０との間には距離ｄ１が存在することができる。この距離ｄ１は、０．５〜１インチ（１２．７〜２５．４ｍｍ）であると有利である。
【００２１】
次いで、クランプ２０に締め付けられた本３０は、１対のとじヘッド５２と針金供給装置５４とを備えた第１の平とじ機５０に進入する。第１の平とじ機５０は、本３０の側部を貫通した２つの針金とじを配置することができる。クリンチャ５６が、本３０又はクランプ２０の裏側を支持するために針金とじヘッド５２とは反対側に配置されていてよい。選択的な第２の平とじ機６０は、とじヘッド６２と、針金供給装置６４と、クリンチャ６６とを有することができ、この第２の平とじ機６０は、各平とじ機５０，６０が１つおきに本を交互にとじ、ひいてはスループットを増大させるように、使用されることができる。
【００２２】
図４に示したように、本３０は平とじ機５０を通過した後には平とじ部３３，３４によって結束されている。次いで、本の背３２は、背準備ステーション７０（図１）によって準備されることができ、この背準備ステーション７０は、表紙のための糊の塗布のための背表面を改善するために、背をのこ刃で裁断する若しくは粗くする。選択的な第２の背準備ステーション７１は、製本装置のスループットを増大させるのを助ける。
【００２３】
背準備時にはクランプ２０は本を背の近傍で保持することが望ましい。距離ｄ１を減じるために平とじ機５０，６０の下流には選択的な第２の水平シェルフ６を設けることができる。クランプ２０が一定の鉛直方向位置を保ちながら本３０が傾斜部６１に沿って上方へ滑動するように、クランプ２０を僅かに解放することができる。傾斜部６１は、平坦区分６３における距離ｄ２だけ上昇する。距離ｄ２は距離ｄ１よりも小さいので、本の背３２は、距離ｄ１から距離ｄ２を引いた分だけクランプ２０の底部を越えて依然として突出している。次いで、クランプ２０は、背準備ステーション７０を通過する間再び本３０をしっかりと掴むことができる。距離ｄ１−ｄ２は、０．２５〜０．５インチ（６．３５〜１２．７ｍｍ）であると有利である。択一的に、第２の水平シェルフ６は平坦であってもよく、その場合には、クランプ２０の鉛直方向位置は距離ｄ２の分だけ減少してよい。
【００２４】
クランプ２０が背準備ステーション７０を通過すると、クランプ２０は、表紙ステーション１００に向かってループ１０に沿って移動する。表紙は、表紙供給装置８０から方向８１に移動し、コンベヤベルト上でクランプ２０の下方へ到達する。表紙接着剤を接着剤ステーション１０１によって表紙に提供することができ、塗布ドラム１０２が接着剤を平滑化することができる。表紙ブレーカ１０３において、表紙が背３２に押し付けられ、本３０がクランプ２０から解放される。望ましいならば、表紙の側部が表紙に対して部分的に押し付けられてもよい。
【００２５】
次いで、製本及び表紙貼りされた本はコンベヤベルト１１０に沿って排出され、その際には、クランプ２０はループ１０に沿って区分１２へ戻り、この区分１２において、クランプ２０は、側部２２が、新たな本３０を受け取る準備が再びできるように、キャリッジ２６を中心に旋回させられる。
【００２６】
この装置は、改良された平とじと、１つのクランプを使用してとじ機と表紙ステーションとの間の本の受渡しとを提供する。このことは、とじの配置及び表紙の配置を改良することができる。カムの代わりに、クランプ２０及び側部２２，２４の移動をモータによって作動することも考えられる。ループ１０は、例えば、キャリッジ２６を一定速度で駆動するためのモータ駆動式チェーンを含んでいてよい。
【００２７】
ここに定義される「本」とは、全てのシート材料の集合体を含んでいる。ここに定義される「クランプ」とは、本を保持するあらゆる装置を含むことができる。
【図面の簡単な説明】
【図１】本発明による製本装置の概略的な上面図を示す図である。
【図２】図１のクランプを示す上面図であり、この場合、とじたい製品が供給領域においてクランプに進入している。
【図３】水平シェルフ上に位置したクランプに挟持されたとじたい製品を示す側面図である。
【図４】第２の水平シェルフにおけるとじられた製品を示す側面図である。
【符号の説明】
１  とじ機、  ２  供給部、  ３  コンベヤ、  ４  引渡し領域、  ５  水平シェルフ区分、  １０  無端ループ、  １２  区分、  ２０  クランプ、  ２２第１の側、  ２４  第２の側、  ２５  ストッパ、  ２６  キャリッジ、  ２７  旋回軸、  ２８  支持体、  ２９  カム、  ３０  本、  ３２  背、  ４０水平シェルフ、  ５０  第１の平とじ機、  ５２  とじヘッド、  ５４  針金供給装置、  ５６，６６  クリンチャ、  ６０  第２の平とじ機、  ６１  傾斜部、  ６２  針金とじヘッド、  ６３  平坦区分、  ６４  針金供給装置、  ７０，７１  背準備ステーション、  ８０  表紙供給装置、  １００  表紙ステーション、  １０１  接着剤ステーション、  １０２  塗布ドラム、  １０３  表紙ブレーカ
【図１】
0004536951.tif 000002
【図２】
0004536951.tif 000003
【図３】
0004536951.tif 000004
【図４】
0004536951.tif 000005